(57)【要約】  流体抽出用のマイクロニードルおよびチップが開示されている。基板（１０２）上に提供されたマイクロニードル（１０１）は、ベベル（５０５）を備えた遠位端部（５０４）から基板上の近位端部（５０６）まで長手方向軸線に沿って延びる細長い本体（５０３）を有しており、細長い本体は、細長い本体の長手方向に延びる毛管孔（５０７）を有しておりかつ流路（５０８）を規定しており、近位端部は基板に一体に接続されており、毛管孔は基板の流体チャネル（３０９）と流体連通している。遠位端部における毛管孔の断面積は、近位端部における毛管孔の断面積よりも大きい。
2019500980.tif 000002
【特許請求の範囲】
【請求項１】
基板（１０２）上に提供されたマイクロニードル（１０１）であって、
ベベル（５０５）を備えた遠位端部（５０４）から前記基板上の近位端部（５０６）まで長手方向軸線に沿って延びる細長い本体（５０３）を有し、
前記細長い本体は、該細長い本体の長手方向に延びる毛管孔（５０７）を有しておりかつ流路（５０８）を規定しており、
前記近位端部は前記基板に接続されておりかつ前記毛管孔は前記基板の流体チャネル（３０９）と流体連通している、マイクロニードルにおいて、
前記遠位端部における前記毛管孔の断面積が、前記近位端部における前記毛管孔の断面積よりも大きいことを特徴とする、マイクロニードル。
【請求項２】
前記毛管孔の前記断面積は、前記長手方向に沿って前記遠位端部から前記近位端部に向かって徐々に減少している、請求項１記載のマイクロニードル。
【請求項３】
前記毛管孔の前記横断面は、前記マイクロニードルの前記長手方向に対して垂直方向で三角形の横断面（６１０）を含む、請求項１または２記載のマイクロニードル。
【請求項４】
前記毛管孔の前記三角形の横断面は、少なくとも１つの丸みのある角（６１１）をさらに含む、請求項１から３までのいずれか１項記載のマイクロニードル。
【請求項５】
前記毛管孔は、親水性表面を有する、請求項１から４までのいずれか１項記載のマイクロニードル。
【請求項６】
前記流体チャネルは、前記毛管孔に、大気圧に対して負圧を提供するように構成されており、これにより、前記毛管孔を通る流体流れが促進される、請求項１から５までのいずれか１項記載のマイクロニードル。
【請求項７】
前記細長い本体は、さらに、前記マイクロニードルの１つの側から横穴を有しかつ長手方向に対して半径方向に延びており、前記横穴は、前記毛管孔と流体連通している、請求項１から６までのいずれか１項記載のマイクロニードル。
【請求項８】
チップ（１１５）であって、
基板（１０２）上に一体に形成された複数のマイクロニードル（１０１）を備え、各マイクロニードルは、
ベベル（５０５）を備えた遠位端部（５０４）から前記基板上の近位端部（５０６）まで長手方向軸線に沿って延びる細長い本体（５０３）を有し、
前記細長い本体は、該細長い本体の長手方向に延びておりかつ流路を規定する毛管孔（５０７）を有し、前記遠位端部における前記毛管孔の断面積（６１０）は、前記近位端部における前記毛管孔の断面積よりも大きく、
前記近位端部は前記基板と一体に形成されており、第１の流路が、前記基板の流体チャネル（３０９）と流体連通している、チップ（１１５）。
【請求項９】
前記基板は、流路を形成する流体チャネルを有し、該流体チャネルは、該流体チャネルの深さ（Ｄ）よりも大きな幅（Ｗ）を有する、請求項８記載のチップ（１１５）。
【請求項１０】
前記毛管孔の壁部（９１６）の少なくとも一部は、前記流体チャネル（３０９）の壁部の一部を形成している、請求項８または９記載のチップ。
【請求項１１】
前記流体チャネルは、９０度よりも小さな角度（θ）での方向変化を有する、請求項８から１０までのいずれか１項記載のチップ。
【請求項１２】
ベース基板（４１３）をさらに備え、該ベース基板（４１３）は、前記流体チャネル（３０９）と流体連通した流体ポート（４１４）を有し、該流体ポート（４１４）は、前記ベース基板の裏面で開放している、請求項８から１１までのいずれか１項記載のチップ。
【請求項１３】
前記流体ポートは、前記ベース基板の後側に向かって、前記ポートの長手方向に増大する面積を有する、請求項１２記載のチップ。
【請求項１４】
前記ベース基板（４１３）は、ボンディングによって前記基板（１０２）に作動的に接続されている、請求項８から１３までのいずれか１項記載のチップ。
【請求項１５】
前記複数のマイクロニードル（１０１）は、該マイクロニードルの遠位端部と同じ高さの縁（１１７）によって包囲されている、請求項８から１４までのいずれか１項記載のチップ。
【発明の詳細な説明】
【技術分野】
【０００１】
本発明は、一般に、体液をサンプリングするためのマイクロニードルおよびチップに関する。本発明は、特に、基板に設けられたマイクロニードルに関する。マイクロニードルは、ベベルを備えた遠位端部から基板上の近位端部まで長手方向軸線に沿って延びる細長い本体を有しており、細長い本体は、細長い本体の長手方向に延びる毛管孔を有しておりかつ流路を規定しており、近位端部は基板に接続されており、毛管孔は基板の流体チャネルと流体連通している。
【背景技術】
【０００２】
マイクロニードルのための多くの適用分野が存在するが、公開されたマイクロニードルの大多数は、様々な形式での薬剤送出に関する。薬剤送出目的の小型化されたニードルの配列の概念は、７０年代の米国特許第３９６４４８２号明細書（US 3,964,482）に遡る。科学的な文献における最も早期の報告されたマイクロニードルの１つは、“A silicon-based, three-dimensional neural interface: manufacturing processes for an intercortical electrode array.”, IEEE Trans Biomed Eng.，1991 Aug; 38(8):758-68, Campbell他における、４．２ｍｍ×４．２ｍｍの面積に１．５ｍｍの長さの１００個のニードルを特徴とする面外シリコンニードル配列であった。結局は、マイクロエレクトロニクスは２０世紀の後半までだったが、バイオセンシング技術は２１世紀までであろう。集積回路（ＩＣ）は、今日では我々の日常生活に甚大な影響をもたらしており、大量生産バイオセンシングの同じ小型化およびコスト利点を利用することは、臨床診断および健康モニタリングを高価な実験室から小さな手持ちの消費者装置へと変化させるであろう。測定される分析物のサンプリングはバイオセンシングのための前提条件である。科学的文献に記載された多くの設計は、体液、すなわち血液または間質液（ＩＳＦ）を抽出するという目的を有する。血液の成功した抽出は、血管系における自然の「過圧」を利用することにより実証されてきた。しかしながら、拡散またはその他の機構による、負圧なしのＩＳＦの成功した抽出は、希であるかまたは不存在でさえある。
【発明の概要】
【発明が解決しようとする課題】
【０００３】
本発明の狙いは、従来公知のマイクロニードルの上述の欠点および欠陥を排除し、改良された解決策を提供することである。
【０００４】
本発明の目的は、間質液（ＩＳＦ）の容易なサンプリングを可能にする、冒頭に定義したタイプの改良されたマイクロニードルを提供することである。
【課題を解決するための手段】
【０００５】
本発明の目的は、添付の請求項に定義されたようなマイクロニードルおよびチップのそれぞれで達成される。
【０００６】
第１の態様において、本発明は、基板に提供されたマイクロニードルであって、ベベルを備えた遠位端部から基板上の近位端部まで長手方向軸線に沿って延びる細長い本体を有し、細長い本体は、細長い本体の長手方向に延びる毛管孔を有しておりかつ流路を規定しており、近位端部は基板と一体的に接続されておりかつ毛管孔は基板の流体チャネルと流体連通している、マイクロニードルにおいて、遠位端部における毛管孔の断面積が、近位端部における毛管孔の断面積よりも大きいことを特徴とする、マイクロニードルに関する。ベベルは、毛管孔の長手方向軸線に対する傾斜した面と呼ばれる。
【０００７】
第２の態様において、本発明は、チップであって、基板上に一体に形成された複数のマイクロニードルを備え、各マイクロニードルは、ベベルを備えた遠位端部から基板上の近位端部まで長手方向軸線に沿って延びる細長い本体を有し、細長い本体は、細長い本体の長手方向に延びる毛管孔を有しておりかつ流路を規定しており、遠位端部における毛管孔の断面積が、近位端部における毛管孔の断面積よりも大きく、近位端部は基板と一体に形成されており、第１の流路は、基板の流体チャネルと流体連通しており、基板は、流路を形成する流体チャネルを有し、流体チャネルは、流体チャネルの深さよりも大きな幅を有する、チップに関する。
【０００８】
第１の態様の付加的または代替的な特徴が以下で説明される。
【０００９】
マイクロニードルの毛管孔の断面積は、遠位端部から近位端部に向かって長手方向に沿って徐々に減少していてもよい。このことは、毛管孔内の流体に作用する毛管力によって、毛管孔を通る流体流れの改良に寄与する。
【００１０】
毛管孔の（長手方向に対して横方向の）横断面は、さらに、少なくとも１つの丸みのある角を有する。このことは、毛管孔の濡れに寄与し、これは、流体流れに好ましい効果を有する。
【００１１】
毛管孔は、三角形の横断面を有していてもよい。三角形の横断面は、毛管孔内の極めて良好な流体流れを提供することが実証されている。本出願における三角形の横断面は、実質的に三角形の形状を有する横断面、すなわち、凸形状または凹形状または直線形状を備える縁、鋭角を備える角または鈍角を備える角および丸みのある角を備える横断面を含む。
【００１２】
毛管孔の壁部は、親水性表面を有していてもよく、これは、毛管孔における流体流れを高める。
【００１３】
流体チャネルは、毛管孔に、大気圧に対して負圧を提供するように構成されていてもよく、これにより、毛管孔を通る流体流れが改良される。負圧は、例えば、流体チャネルに接続されたシリンジを用いて形成されてもよい。
【００１４】
マイクロニードルの細長い本体は、さらに、長手方向に対して半径方向に延びる横穴を有していてもよく、横穴は、毛管孔と流体連通している。これは、毛管孔における詰まりのリスクが低減されるという効果を有する。
【００１５】
以下では、第２の態様の代替的または付加的な特徴が示される。
【００１６】
毛管孔の壁部の少なくとも一部が流体チャネルの壁部の一部を形成してもよいチップにおいて、流体流れが高められる。
【００１７】
チップの流体チャネルは、９０度よりも小さな角度θでの方向変化を有していてもよい。流体チャネルの鋭い曲がりを回避することによって、流体流れが高められる。
【００１８】
チップは、流体チャネルと流体連通する流体ポートを有するベース基板をさらに有し、流体ポートは、ベース基板の裏面で開放している。これは、センサエレメントまたは別の流体チャネルに接続することができる、サンプリングされた流体へのアクセスポイントを提供する。
【００１９】
流体ポートは、ベース基板の後側に向かって、ポートの長手方向で増大する面積を有していてもよい。これは、チューブまたはシリンジなどの他の流体チャネルへの、流体が漏れない接続を可能にする。
【００２０】
ベース基板は、陽極／直接ボンディングによって基板に作動的に接続されていてもよく、これは、接着剤によって流体チャネルを詰まらせるリスクなしに、強い、流体が漏れないシールを提供する。
【００２１】
チップ上の複数のマイクロニードルは、マイクロニードルの遠位端部と同じ高さの縁によって包囲されていてもよい。これは、マイクロニードルの遠位端部との係合中に、試験対象の膜を緊張させるという効果を有する。
【００２２】
本発明の上述の特徴および利点ならびにその他の特徴および利点のより十分な理解は、同封の図面を参照した実施の形態の以下の詳細な説明から明らかになるであろう。
【図面の簡単な説明】
【００２３】
【図１】複数のマイクロニードルを備えるチップの概略斜視図である。
【図２】複数のマイクロニードルを備えるチップの概略平面図である。
【図３】流体チャネルを備える基板の下面図である。
【図４】図２中の線Ｃ−Ｃに沿った断面図である。
【図５】マイクロニードルの断面図である。
【図６】マイクロニードルの長手方向軸線に沿った断面図である。
【図７】流体チャネルを備える基板の下面図である。
【図８】基板上のマイクロニードルの概略斜視図である。
【図９】流体チャネルおよび毛管孔を備える基板の裏面の概略斜視図である。
【発明を実施するための形態】
【００２４】
本発明は、以下の考察に基づく。注意深く検討したとき、従来技術におけるマイクロニードルは、良好な歩留りで製造することができないことが明らかであり、ほ乳類における安全な使用を可能にするように十分に頑丈ではなく、または実際の抽出は可能な限り小さなフォントで書かれた複数の注意書きで行われる。従来技術に記載された注意書きおよび免責条項の例は、例えば、抽出は、豚の皮膚、制御された研究における水疱を有するほ乳類または抽出の前に最も外側の皮膚層、すなわち角質層が除去されたほ乳類においてのみ実証されてきたということである。したがって、マイクロニードルの頑丈な、大量生産可能な設計を発明、設計および実現することができ、毛管力のみを使用し、負圧または吸引を使用しないで抽出が行われる安全な抽出を許容する、ということは全く驚くべきことであったと言ってもよい。
【００２５】
本発明の幾つかの実施の形態によれば、本発明は、１００マイクロメートルの、しかしながら１ｍｍ以下の最小距離だけ互いから離れて配列またはマトリックス上に組織化された複数のニードルを含むマイクロニードルチップセットの設計に関し、包囲する構造と同じ平面または包囲する構造よりも僅かに低い鋭い先端部を有し、先端部は、５４．７度のベベルを有し、ニードルは、詰まりなしの抽出を可能にする毛管寸法を備える中空ボアを有し、シャフトは、２００マイクロメートルよりも長く、および、裏面チャネル内に整列していない孔が接続する、収集チャネル／空所／キャビティまでずっと液体に毛管力を作用させる内部寸法および形状を有する。
【００２６】
本発明の幾つかの実施の形態によれば、本発明は、上述した複数のマイクロニードルを備えるチップセットによって特徴づけられ、
・ニードルは、結晶学的平面によって規定された鋭い先端部を有する。
・各ニードルのベベルスロープは、１１１の平面によって規定されている。
・各マイクロニードルは、毛管孔、例えば、１つの毛管孔を有していてもよい。これにより、マイクロニードル、流体キャビティおよび流体出口ポートを通って毛管吸引によって体液が抽出可能である。
・各マイクロニードルには、毛管孔を詰まりから遮蔽するためのキャップが遠位端部に設けられており、これにより、毛管孔への少なくとも１つの開口が、マイクロニードルの軸方向または長手方向の延びに対して垂直な、マイクロニードルの横方向で提供されている。
・各マイクロニードルの毛管孔には、親水性表面が設けられていてもよい。これにより、体液の毛管流れを補助することができる。
・各マイクロニードルは、マイクロニードルの長手方向に沿って延びる複数の切断エレメントを有していてもよい。これにより、体液の抽出を容易にするために、皮膚を切開することができる。
・ニードルのベベル上に投影された各マイクロニードルのボア孔の外周は、先端部が外周の外側になるように、先端部から所定の距離に配置されている。
・各マイクロニードルは、２００〜１０００μｍ、好適には４００〜９００μｍ、より好適には３００〜６００μｍの長さと、４００〜８００μｍの外周とを有していてもよい。これにより、マイクロニードルは、皮膚の貫通および体液の抽出に適した寸法を有する。
・毛管システムを含む側に投影されたボア孔の部分は、接続毛管の外側にあり、表面張力を最小限に減じる最大化された壁表面を形成する。
・ボア孔と毛管との間の各接続部は、張力駆動される流れを可能にするために、最小限の接触角度で設計されるべきである。
・流体と接触する表面は、親水性であるべきである。
・各ニードルのシャフトは、柄がない。
・鉛直方向ボア孔は、ある分子にとって選択的かつ特定の材料で満たされてもよく、これにより、一体化された抽出および検出チップセットを形成する。フィラー材料は、例えば、グルコースオキシダーゼおよび炭素粉末であってもよく、これにより、グルコース特定抽出および検出チップセットを形成する。
・マイクロニードルの周囲に沿って、複数の開口が横方向に提供されてもよい。少なくとも１つの開口は、マイクロニードルの長手方向延びに沿ったほぼ中間に提供されてもよい。これにより、体液の抽出が容易になり、詰まりのリスクがさらに減少する。
【００２７】
本発明の幾つかの実施の形態によれば、本発明は、さらに、複数のニードルが以下の形態である上述のチップセットによって特徴づけられる：
・好適には１５ｍｍ未満の直径を有する、マイクロニードルの長手方向に沿って突出した構造として構成された指の先端部を支持するように寸法決めされたフレーム構造を有する。
・指の先端部を支持するように寸法決めされたフレーム構造によって少なくとも部分的に包囲されていてもよい。これにより、皮膚への少なくとも１つのマイクロニードルの貫通を容易にするために、指の先端部の皮膚を支持しかつ緊張させることができる。
・ニードルの先端部と少なくとも同じ平面へ突出した包囲構造によって保護されており、例えば、本明細書に記載されたチップセットのＭＥＭＳ製造の場合にウェハの取扱いを可能にする。
・上述の複数のニードルによる貫通の前に皮膚を引っ張る包囲構造を有する。
・それらの中空構造により、体液をサンプリングするための入口を構成している。これにより、間質液（ＩＳＦ）などの体液を、患者にとって最小限の不快感で抽出し、センサへ導入することができる。
・様々なパターンで毛管の収集網を有しており、利点として、液体の収集および貯蔵が蒸発の問題なしに行われる。これにより、チップはサンプリングすることができ、分析を実験施設内で行うことができる。
・液体が壁部を濡らし、これにより、毛管作用によって、裏面上の収集チャネルを充填するように、鉛直方向ボア孔と、横方向に整列されていない収集毛管との間に境界面を有する。
・針のむしろ（bed of nails）の影響を回避するために、互いから２００ミクロンの最小距離に配置されている。
・結晶学的方向または好適には同じ方向に向けられたベベルを有する。
・一体化された、例えばエッチングされた毛管を使用してニードルの少なくともサブセットの間の接続を可能にするように配向されている。
・全てを毛管システムと組み合わせることができ、流体出口ポートへの毛管流れを可能にする。
【００２８】
構成
・別の構成では、上記のサンプリングチップセットは、検出ユニットに関連して使用することができる。検出ユニットは、他の手段によって抽出チップセットに結合されたまたは取り付けられたウェハであってもよいが、毛管チューブまたは同等の流れシステムを介して接続されていてもよい。
・検出ユニットは、体液中のグルコースレベルを検出するために構成されていてもよく、すなわち、グルコースセンサであってもよい。これにより、体液中のグルコースレベルの迅速かつ正確な検出のためのセンサを提供することができる。
・センサは、体液中の乳酸塩、二酸化炭素またはその他の分子の濃度または存在を検出するように構成されていてもよい。これにより、体液中の上述の分子またはその他の分子、イオンまたはバイオマーカーレベルの迅速かつ正確な検出のためのセンサを提供することができる。
【００２９】
本発明の第１の実施の形態において、全体が符号１１５で示されたチップが、図１に斜視図で示されている。チップ１１５は、基板１０２上に配置された複数のマイクロニードル１０１を備える基板１０２を有している。各マイクロニードルは、毛管孔１０７を有する。毛管孔１０７は、マイクロニードルおよび基板１０２を貫通して延びている。上記の段落において、毛管孔１０７は、鉛直方向の孔であることが示されている。基板１０２は、さらに、上縁１１７を備える包囲壁１１２を有する。上縁１１７は、マイクロニードルと同じ高さを有していてもよい。これは、試験対象の指がマイクロニードルと相互作用することが想定されている場合、極めて有効であることが分かっている。なぜならば、皮膚の緊張効果が達成されるからである。
【００３０】
図２には、図１のチップが上方から示されている。この図は、基板１０２上のマイクロニードル１０１の配列を示している。マイクロニードル１０１は、好適には、針のむしろの影響を回避するために、隣接するマイクロニードルの間に２００μｍの最小距離ＡおよびＢを有して配置されている。しかしながら、隣接するマイクロニードルの間の距離は、１００μｍ〜１ｍｍの間隔であってもよい。この図では、線Ｃ−Ｃも示されており、この仮想線は、基板およびマイクロニードルの断面を規定するために後で使用される。
【００３１】
図３には、マイクロニードルの間に流体連通を提供する流体チャネル３０９のパターンが示されている。この図は、基板１０２の裏面から見た図である。この図では、マイクロニードルの毛管孔１０７が示されており、基板１０２の流体チャネル内へ開放している。流体チャネル３０９は、浅く、好適には対応する深さよりも大きな幅を有している。流体チャネルは、流体チャネル内の流体流れをさらに高めるために、減少する断面積を有していてもよい（図示せず）。流体チャネルは、流体チャネルポート３１８を中心とするらせん状パターンで配置されている。１つの実施の形態では、流体チャネルのパターンは、周囲のマイクロニードルの毛管孔（図示せず）を接続する周囲の流路を含んでいてもよい。これは、流体チャネル３０９が詰まったときでも、流体流れが流体チャネルポート３１８へ供給されるという効果を有する。
【００３２】
図４は、マイクロニードルの列および基板１０２の、仮想線Ｃ−Ｃに沿った断面図である。つまり、基板は切断され、側面図で示されている。この図では、マイクロニードル１０１は切断されて示されている。マイクロニードルは、マイクロニードルの材料の結晶学的平面によって規定されたベベル５０５を有する。毛管孔５０７は、流体チャネルポート３１８および流体チャネル３０９と流体連通している。基板１０２は、流体ポート４１４を有するベース基板４１３に作動的に接続されている。流体ポート４１４は、傾斜した側壁を有していてもよい。傾斜した側壁は、他の装置への容易な、流体が漏れない接続を提供する。ベース基板４１３は、技術分野において公知の、ボンディング、例えば陽極または直接ボンディングによって基板１０２に作動的に接続されていてもよい。
【００３３】
マイクロニードル１０１は、図５にさらに示されており、マイクロニードルは断面で示されている。マイクロニードル１０１は、遠位端部５０４と、基板１０２上の近位端部５０６とを備える細長い本体５０３を有する。この実施の形態では、マイクロニードルは基板と一体に形成されている。このような製造プロセスは、以下のプロセスステップを含んでもよい。
【００３４】
フォトリソグラフィ（ＰＬ）と、例えば、深掘り反応性イオンエッチング（ＤＲＩＥ）を使用した基板１０２のドライエッチングとによって、細長い本体５０３を形成する。
【００３５】
異方性ウェットエッチングを使用して遠位端部５０４のベベル５０５を形成する。
【００３６】
基板１０２上にフォトレジストを提供した後、ベベル５０５上に開口を備えるマスクを形成するＰＬによって、毛管孔５０７のためのマスクを形成する。
【００３７】
ベベル５０５上のマスク開口を通じた基板１０２の前側からの毛管孔５０７のエッチング。
【００３８】
上に概説した典型的なプロセスにおいて、基板１０２に提供されたフォトレジストは、スプレーコーティングレジストまたはドライフィルムレジストであってもよい。遠位端部５０４のベベル５０５は、特にバイオセンシング用途に適した鋭い縁を提供する。毛管孔５０７は、毛管孔５０７の周囲とベベルの鋭い縁の先端部との間の距離が得られるようにベベル５０５において開放している。毛管孔５０７は、細長い本体５０３の遠位端部５０４のベベル５０５から基板１０２上の近位端部５０６に向かって延びている。遠位端部５０４における毛管孔の断面積は、近位端部５０６における毛管孔５０７の断面積よりも大きい。これにより、毛管作用が高められ、毛管孔５０７を通る流体流れが増大する。
【００３９】
マイクロニードル１０１の１つの実施の形態が、図６に上方から示されている。この図では、毛管孔５０７の三角形の横断面６１０が示されている。この用途では、三角形の横断面は、対応する角によって接続された３つの縁を備える形状を包囲している。縁は、直線、曲線、凸状または凹状であってもよい。角は、鋭くても、鈍くてもまたは異なるまたは同じ半径を有するように丸みづけられていてもよい。これにより、この用途内では、卵または心臓の形状を有する横断面が三角形であると考えられる。毛管孔の三角形６１０。図６において、毛管孔５０７の形状は、湾曲した角６１１を介して直線的なセクションに接続された凸状のベースを備える実質的に三角形である。毛管孔５０７のこの形状は、人間試験対象の指から間質液を抽出するために極めて効率的であることが実証されてきた。
【００４０】
図７には、基板１２０の裏面の拡大図が示されている。基板１０２の裏面の流体チャネルポート３１８は、複数の流体チャネル３０９に接続されている。この図では、流体チャネル３０９の幅がＷで示されており、湾曲した角度がθで示されている。張力駆動される流体流れを提供するために、最大湾曲角度は９０度である。毛管孔５０７は、毛管孔の壁部９１６の少なくとも一部が流体チャネル３０９の壁部の一部を形成するように、流体チャネル３０９にも接続されている。これはさらに図９に示されている。
【００４１】
最後に、図８には、マイクロニードル１０１の遠位端部が上縁１１７と同じ高さであることが示されている。この縁は、皮膚とチップとの接触時に皮膚の緊張効果を提供する。
【００４２】
第１の実施の形態に関して開示された付加的な特徴は、第２の実施の形態に適用することもできる。
【００４３】
１つの実施の形態では、基板１０２はシリコンから形成されており、ベース基板４１３はガラスから形成されている。
【００４４】
添付の請求項は、開示された実施の形態と、開示から導出することができる、実施の形態の変更および実行とを含む発明の範囲を規定するために起草されている。
【図１】
2019500980.tif 000003
【図２】
2019500980.tif 000004
【図３】
2019500980.tif 000005
【図４】
2019500980.tif 000006
【図５】
2019500980.tif 000007
【図６】
2019500980.tif 000008
【図７】
2019500980.tif 000009
【図８】
2019500980.tif 000010
【図９】
2019500980.tif 000011
【国際調査報告】
2019500980.tif 000012
2019500980.tif 000013
2019500980.tif 000014